(57)【要約】【課題】  マイクコードにて接続されるマイクユニットと出力モジュール部とを含むコンデンサマイクロホンにおいて、出力モジュール部の回路基板に対するマイクコードのはんだ付け作業に支障をきたすことなく、出力モジュール部内でのマイクコード長を短くして電磁波による雑音発生を防止する。【解決手段】  コンデンサマイクユニット１０と、シールドケース２１内に回路基板２２を収納してなる出力モジュール部２０とをマイクコード３０を介して接続するコンデンサマイクロホンにおいて、シールドケース２１に対して挿脱可能な回路基板２２に、シールドケース２１の先端開口部２１ａ内に着脱可能に嵌合されるマイクコードの接続用金具１１０と出力コネクタ２３とを固定し、マイクコードの接続用金具１１０を回路基板２２とともにシールドケース２１から抜き出すことができるようにする。【選択図】  図１
2006019854.tif 000002
【特許請求の範囲】
【請求項１】
インピーダンス変換器を含むコンデンサマイクユニットと、シールドケース内に音声出力回路を含む回路基板が収納され上記シールドケースの後端側に出力コネクタが装着されている出力モジュール部とを備え、上記コンデンサマイクユニットと上記出力モジュール部とがマイクコードを介して接続されているコンデンサマイクロホンにおいて、
上記回路基板の一端側に上記出力コネクタが取り付けられているとともに、上記回路基板の他端側には上記シールドケースの先端開口部内に着脱可能に嵌合される上記マイクコードの接続用金具が一体的に取り付けられており、上記回路基板が上記出力コネクタおよび上記接続用金具を備えて上記シールドケースに対して挿脱可能であることを特徴とするコンデンサマイクロホン。
【請求項２】
上記接続用金具には、上記マイクコードを上記回路基板側に引き出すためのコード挿通孔と、上記コード挿通孔に挿通される上記マイクコードを固定するコード固定手段とが設けられていることを特徴とする請求項１に記載のコンデンサマイクロホン。
【請求項３】
上記コード固定手段が上記コード挿通孔に対して同軸であって上記接続用金具に一体的に形成された塑性変形可能なスリーブからなることを特徴とする請求項２に記載のコンデンサマイクロホン。
【請求項４】
上記マイクコードがコードコネクタを介して上記出力モジュール部に接続される場合において、上記接続用金具に上記コードコネクタの一方のコネクタメンバーが保持されることを特徴とする請求項１に記載のコンデンサマイクロホン。
【請求項５】
上記接続用金具は、上記マイクコードを上記回路基板側に引き出すためのコード挿通孔と、フレキシブルパイプの一端が嵌合固定される口金とを備えていることを特徴とする請求項１に記載のコンデンサマイクロホン。
【発明の詳細な説明】
【技術分野】
【０００１】
本発明はコンデンサマイクユニットと出力モジュール部とが専用のマイクコードにて接続されているコンデンサマイクロホンに関し、さらに詳しく言えば、出力モジュール部内における外来電磁波に起因する高周波電流の発生を防止する技術に関するものである。
【背景技術】
【０００２】
コンデンサマイクロホンには用途別に多くの種類があるが、そのうちの一つとして衣服などに取り付けて使用されるタイピン型マイクロホンや特許文献１に記載されているような主として会議用に用いられるグースネック型マイクロホンがある。
【０００３】
図４，図５にタイピン型マイクロホンについての従来例１，２を示し、図６にグースネック型マイクロホンについての従来例３を示す。これらの各図において、ともに（ａ）は出力モジュール部の組立作業時の状態を示す分解図であり、（ｂ）は出力モジュール部の組立完了時の状態を示す断面図である。
【０００４】
これらタイピン型やグースネック型のコンデンサマイクロホンでは、マイクロホンの存在が目立たないようにするため、コンデンサマイクユニット１０と出力モジュール部２０とが分離して構成され、それらは専用のマイクコード３０を介して接続される。
【０００５】
従来例１〜３に共通して含まれるコンデンサマイクユニット１０と出力モジュール部２０のうち、コンデンサマイクユニット１０は例えばアルミニウムからなるカートリッジケース１１を備えており、カートリッジケース１１をシールドケースとして、その内部には図示しない振動板と固定極とを含むコンデンサユニットとインピーダンス変換器とが収納されている。通常、インピーダンス変換器にはＦＥＴ（電界効果トランジスタ）が用いられる。
【０００６】
出力モジュール部２０は例えば黄銅合金からなる円筒状のシールドケース２１を備え、シールドケース２１内には回路基板２２と出力コネクタ２３とが収納されている。図示しないが、回路基板２２にはトランスやローカットフィルタ回路それに増幅回路などを含む音声出力回路が実装されている。
【０００７】
出力コネクタ２３は回路基板２２の一端側にネジ止めなどにより固定され、回路基板２２をシールドケース２１内に収納するに伴ってシールドケース２１の後端側に配置される。なお、出力モジュール部２０はパワーモジュール部と呼ばれることもある。
【０００８】
コンデンサマイクロホンにおいて、通常、出力コネクタ２３にはＥＩＡＪ  ＲＣ５２３６「音響用ラッチロック式丸形コネクタ」に規定されている３ピンタイプの出力コネクタが用いられる。すなわち、出力コネクタ２３は接地用（シールド用）の１番ピン，信号のホット側として用いられる２番ピン，信号のコールド側として用いられる３番ピンを備え、図示しない平衡シールドケーブルを介してファントム電源に接続される。
【０００９】
詳しくは図示しないが、マイクコード３０には電源をコンデンサマイクユニット１０に供給する電源線と、インピーダンス変換器から出力される音声信号を回路基板２２の音声出力回路に送る信号線と、これら電源線および信号線を静電遮蔽し接地に落とされるシールド被覆線とを含む２芯シールド被覆線が用いられる。
【００１０】
このうちのシールド被覆線は、コンデンサマイクユニット１０側においてはカプセルケース１１に接続され、出力モジュール部２０の信号入力側においてはシールドケース２１と回路基板２２の図示しない接地回路とに接続される。また、出力モジュール部２０の信号出力側において出力コネクタ２３の接地用の１番ピンはシールド被覆線と同じくシールドケース２１と回路基板２２の接地回路とに接続される。
【００１１】
マイクコード３０を出力モジュール部２０の回路基板２２に接続するにあたって、図４の従来例１では、同図（ａ）に示すように、シールドケース２１から回路基板２２を引き出した状態で、マイクコード３０をシールドケース２１内を通してその一端側に抜け止め用の結び玉３１を作ったうえで回路基板２２にはんだ付けする。
【００１２】
その後、図４（ｂ）に示すように、回路基板２２を出力コネクタ２３とともにシールドケース２１内に収納する。なお従来例１において、シールドケース２１の先端側には結び玉３１の引っ掛けとして作用するゴムブッシュ２４が設けられている。
【００１３】
図５の従来例２では、マイクコード３０と出力モジュール部２０の回路基板２２との接続にコードコネクタ４０を用いる。すなわち、マイクコード３０側にコードコネクタ４０に含まれる一方の例えば雄側コネクタメンバー４１を設け、シールドケース２１の先端側に他方の雌側コネクタメンバー４２を取り付け、雌側コネクタメンバー４２と回路基板２２の間は内部コード３２で接続する。
【００１４】
図５（ａ）に示すように、実際の接続作業は雌側コネクタメンバー４２に内部コード３２の一端を接続してから雌側コネクタメンバー４２をシールドケース２１の先端側に取り付け、内部コード３２の他端側をシールドケース２１から引き出して回路基板２２にはんだ付けする。その後、図５（ｂ）に示すように、回路基板２２を出力コネクタ２３とともにシールドケース２１内に収納する。
【００１５】
図６の従来例３は、コンデンサマイクユニット１０をフレキシブルパイプ５０にて支持するグースネック型マイクロホンについてのもので、この場合にはシールドケース２１の先端側にフレキシブルパイプ５０を嵌合固定するための口金２５が用意される。マイクコード３０はフレキシブルパイプ５０内に配線されその固定端側から引き出される。口金２５にはマイクコード３０をシールドケース２１内に挿通するためのコード挿通孔２５ａが穿設されている。
【００１６】
従来例３において、マイクコード３０を出力モジュール部２０の回路基板２２に接続するには、図６（ａ）に示すように、マイクコード３０を口金２５のコード挿通孔２５ａを通してシールドケース２１内に挿通させた状態でフレキシブルパイプ５０の固定端側を口金２５内に例えば圧入して固定し、シールドケース２１外でマイクコード３０を回路基板２２にはんだ付けする。その後、図６（ｂ）に示すように、回路基板２２を出力コネクタ２３とともにシールドケース２１内に収納する。
【００１７】
【特許文献１】特開平９−２２９２９２号公報
【発明の開示】
【発明が解決しようとする課題】
【００１８】
ところで、マイクコード３０に強い電磁波が加えられると、その電磁波による高周波電流がシールドケース２１内に入り込み、回路基板２２に形成されている音声出力回路で検波されて雑音が発生することがある。
【００１９】
近年、携帯電話機が急速に普及しているが、マイクロホン近傍で携帯電話機が使用された場合かなり強い電磁波（例えば、数ｃｍ〜数１０ｃｍ程度の範囲内では商用電波により市中で生じている電界強度の数万倍に達する電界強度）を受けるため、マイクロホンの分野では携帯電話機対策が急務とされている。
【００２０】
とりわけ、マイクコード３０の出力モジュール部２０内での配線長が長いと、その部分がアンテナとして作用するため電磁波の影響を受けやすくなる。したがって、電磁波対策を講ずるうえで、マイクコード３０の出力モジュール部２０内での配線長は短ければ短いほど好ましい。しかしながら、上記従来例１ではマイクコード３０に抜け止め用の結び玉３１が必要であるため、その分出力モジュール部２０内での配線長が長くならざるを得ない。
【００２１】
また、上記従来例２における内部コード３２をマイクコード３０の一部に含まれるものとして、上記従来例２，３ではマイクコード３０の回路基板２２に対するはんだ付け時やメンテナンス（修理）時に回路基板２２をシールドケース２１の外に引き出さなければならないため、マイクコード３０の出力モジュール部２０内での配線長はシールドケース２１の軸長以上の長さを確保する必要がある。このようなことから、上記従来例１〜３に示す形態のコンデンサマイクロホンでは電磁波による雑音発生が特に問題となっている。
【００２２】
したがって、本発明の課題は、コンデンサマイクユニットと出力モジュール部とが専用のマイクコードにて接続されているコンデンサマイクロホンにおいて、出力モジュール部に含まれる回路基板に対するマイクコードのはんだ付け作業やメンテナンス作業に支障をきたすことなく、出力モジュール部内でのマイクコード長を短くすることにある。
【課題を解決するための手段】
【００２３】
上記課題を解決するため、本発明は、インピーダンス変換器を含むコンデンサマイクユニットと、シールドケース内に音声出力回路を含む回路基板が収納され上記シールドケースの後端側に出力コネクタが装着されている出力モジュール部とを備え、上記コンデンサマイクユニットと上記出力モジュール部とがマイクコードを介して接続されているコンデンサマイクロホンにおいて、上記回路基板の一端側に上記出力コネクタが取り付けられているとともに、上記回路基板の他端側には上記シールドケースの先端開口部内に着脱可能に嵌合される上記マイクコードの接続用金具が一体的に取り付けられており、上記回路基板が上記出力コネクタおよび上記接続用金具を備えて上記シールドケースに対して挿脱可能であることを特徴としている。
【００２４】
本発明の好ましい第１の態様によれば、上記接続用金具には上記マイクコードを上記回路基板側に引き出すためのコード挿通孔と、上記コード挿通孔に挿通される上記マイクコードを固定するコード固定手段とが設けられ、タイピン型マイクロホンに適用される。この場合、上記コード固定手段は上記コード挿通孔に対して同軸であって上記接続用金具に一体的に形成された塑性変形可能なスリーブからなることが好ましい。
【００２５】
また、本発明の好ましい第２の態様によれば、上記マイクコードがコードコネクタを介して上記出力モジュール部に接続される場合において、上記接続用金具には上記コードコネクタの一方のコネクタメンバーが保持され、タイピン型マイクロホンに適用される。
【００２６】
また、本発明の好ましい第３の態様によれば、上記接続用金具は上記マイクコードを上記回路基板側に引き出すためのコード挿通孔と、フレキシブルパイプの一端が嵌合固定される口金とを備え、グースネック型マイクロホンに適用される。
【発明の効果】
【００２７】
本発明によれば、マイクコードの接続用金具を回路基板に取り付け、その接続用金具を回路基板とともにシールドケースに対して挿脱可能な構成としたことにより、出力モジュール部内でのマイクコード長ははんだ付けに必要とされる長さ分だけ確保すればよいため電磁波による雑音発生を効果的に防止することができ、また、回路基板に対するマイクコードのはんだ付け作業やメンテナンス作業に支障をきたすこともない。
【発明を実施するための最良の形態】
【００２８】
次に、図１ないし図３により本発明の実施形態について説明するが、本発明はこれに限定されるものではない。図１，図２はタイピン型マイクロホンについての実施例１，２で先に説明した図４，図５の従来例１，２に対応している。図３はグースネック型マイクロホンについての実施例３で先に説明した図６の従来例３に対応している。
【００２９】
実施例１〜３の説明において、上記従来例１〜３に対して特に変更を要しない構成要素には同じ参照符号を用いる。また、図１〜３において、ともに（ａ）は出力モジュール部の組立作業時の状態を示す分解図であり、（ｂ）は出力モジュール部の組立完了時の状態を示す断面図である。
【００３０】
図１の実施例１によるコンデンサマイクロホンは、コンデンサマイクユニット１０と出力モジュール部２０とをマイクコード３０を介して接続してなる図４の上記従来例１と同様のタイピン型マイクロホンであるが、上記従来例１と異なりマイクコード３０を出力モジュール部２０内の回路基板２２に接続するための接続用金具１１０を備えている。
【００３１】
接続用金具１１０は出力モジュール部２０に含まれるシールドケース２１の先端開口部２１ａ内に着脱可能に嵌合される金属の円筒体からなり、その中心部にマイクコード３０のためのコード挿通孔１１１を備えている。なお、電磁波が出力モジュール部２０内に入り込まないようにするため、接続用金具１１０は上記先端開口部２１ａ内にほとんど隙間なく嵌合するように精密に作製することが好ましい。
【００３２】
また、接続用金具１１０にはマイクコード３０のコード固定手段として、コード挿通孔１１１に対して同軸である塑性変形可能なスリーブ１１２が接続用金具１１０の前面側に突出するように一体的に形成されている。なお、コード固定手段の別の例としてネジ止めやワッシャ止めなどが採用されてもよい。
【００３３】
上記従来例１と同じく回路基板２２の一端側には出力コネクタ２３がネジなどにより固定されるが、この実施例１では接続用金具１１０も回路基板２２の他端側（シールドケース２１の先端側）に固定され、回路基板２２とともにシールドケース２１に対して挿脱可能である。
【００３４】
接続用金具１１０は半径方向に穿設された２つのネジ孔１１３，１１４を有し、そのうちの一方のネジ孔１１３を使用して回路基板２２にネジ止めされる。他方のネジ孔１１４はシールドケース２１への固定用である。また、接続用金具１１０の前面側にはゴムブッシュ２４が装着されている。
【００３５】
この実施例１において、マイクコード３０を出力モジュール部２０の回路基板２２に接続するには、図１（ａ）に示すように、シールドケース２１から回路基板２２を引き出した状態とし、マイクコード３０をシールドケース２１内を通し、さらに接続用金具１１０のコード挿通孔１１１を挿通させてその一端を回路基板２２上に引き出してはんだ付けする。
【００３６】
このとき、ゴムブッシュ２４を外してスリーブ１１２をかしめてマイクコード３０を接続用金具１１０に固定する。したがって、マイクコード３０に上記従来例１のような結び玉３１を作る必要はない。なお、スリーブ１１２をかしめる際、マイクコード３０のかしめられる部分のシースを一部除去してシールド被覆を露出させて接続用金具１１０と電気的に接続することが好ましい。
【００３７】
はんだ付け終了後、図１（ｂ）に示すように、回路基板２２をシールドケース２１内に収納し、接続用金具１１０をシールドケース２１の先端開口部２１ａ内に嵌合させた状態で、接続用金具１１０と出力コネクタ２３とをシールドケース２１に対してそれぞれネジ止めする。このように、実施例１によれば出力モジュール部２０内でのマイクコード長ははんだ付けに必要とされる長さ分だけ確保すればよい。また、メンテナンスも容易に行うことができる。
【００３８】
次に、図２の実施例２について説明する。実施例２のコンデンサマイクロホンは、マイクコード３０と出力モジュール部２０の回路基板２２との接続にコードコネクタ４０を用いる図５の上記従来例２と同様のタイピン型マイクロホンである。なお、この種のマイク用のコードコネクタ４０には例えばスイッチクラフト社製の品番ＴＢ３Ｍがある。
【００３９】
この実施例２においても、マイクコード３０側にコードコネクタ４０に含まれる一方の例えば雄側コネクタメンバー４１が接続され、出力モジュール部２０側に他方の雌側コネクタメンバー４２が設けられるが、上記従来例２と異なる点は雌側コネクタメンバー４２が接続用金具１２０により回路基板２２に固定されている点である。
【００４０】
この接続用金具１２０は雌側コネクタメンバー４２を保持する円筒部１２１と、円筒部１２１の一端側（後端側）に配置されたベース部１２２とを一体に備えた金属製で、円筒部１２１がシールドケース２１の先端開口部２１ａ内に着脱可能に嵌合される。
【００４１】
なお、出力モジュール部２０側に雄側コネクタメンバー４１が設けられる場合には、その雄側コネクタメンバー４１が円筒部１２１内に保持されることになるが、いずれにしても電磁波が出力モジュール部２０内に入り込まないようにするため、円筒部１２１はシールドケース２１の先端開口部２１ａ内にほとんど隙間なく嵌合するように精密に作製することが好ましい。
【００４２】
雌側コネクタメンバー４２は上記従来例２における内部コード３２の代わりとして３本のリード線４３を介して回路基板２２に接続されるが、ベース部１２２の中心部にはその３本のリード線４３を挿通するための挿通孔１２３が形成されている。なお、３本のリード線４３の代わりに上記内部コード３２を短く切って使用してもよい。
【００４３】
また、ベース部１２２には半径方向に沿ってネジ孔１２４が穿設されており、接続用金具１２０はネジ孔１２４を使用して回路基板２２に固定される。接続用金具１２０の回路基板２２に対する固定位置は上記実施例１における接続用金具１１０と同じく出力コネクタ２３と対向する辺である。円筒部１２１にもネジ孔１２５が形成されているが、これはシールドケース２１への固定用である。
【００４４】
この実施例２によれば、図２（ａ）に示すように、あらかじめリード線４３を接続した雌側コネクタメンバー４２を接続金具１２０の円筒部１２１に嵌合してリード線４３を挿通孔１２３から回路基板２２上に引き出してはんだ付けすればよい。
【００４５】
そして、図２（ｂ）に示すように、回路基板２２をシールドケース２１内に収納し、接続用金具１２０をシールドケース２１の先端開口部２１ａ内に嵌合させた状態で、接続用金具１２０と出力コネクタ２３とをシールドケース２１に対してそれぞれネジ止めすることにより組立が完了する。
【００４６】
このように、実施例２においても上記実施例１と同じく、出力モジュール部２０内でのリード線４３の配線長ははんだ付けに必要とされる長さ分だけ確保すればよい。また、メンテナンスも容易に行うことができる。
【００４７】
次に、図３の実施例３について説明する。実施例３のコンデンサマイクロホンは、図６の上記従来例３と同じくコンデンサマイクユニット１０をフレキシブルパイプ５０にて支持するグースネック型マイクロホンであるが、フレキシブルパイプ５０のための接続用金具１３０を回路基板２２側に設けている点で上記従来例３と異なっている。
【００４８】
接続用金具１３０はシールドケース２１の先端開口部２１ａ内に着脱可能に嵌合される金属の円筒体からなり、フレキシブルパイプ５０の固定端側が嵌合される口金１３１を一体に備え、また、その中心部にはマイクコード３０のためのコード挿通孔１３２が穿設されている。なお、電磁波が出力モジュール部２０内に入り込まないようにするため、上記口金１３１は上記先端開口部２１ａ内にほとんど隙間なく嵌合するように精密に作製することが好ましい。
【００４９】
また、接続用金具１３０には半径方向に沿って２つのネジ孔１３３，１３４が穿設されており、接続用金具１３０はその一方のネジ孔１３３を使用して回路基板２２に固定される。接続用金具１３０の回路基板２２に対する固定位置は上記実施例１，２における接続用金具１１０，１２０と同じく出力コネクタ２３と対向する辺である。他方のネジ孔１３４はシールドケース２１への固定用である。
【００５０】
この実施例３において、マイクコード３０を出力モジュール部２０の回路基板２２に接続するには、図３（ａ）に示すように、回路基板２２をシールドケース２１から引き出した状態で、フレキシブルパイプ５０をシールドケース２１内に通し、フレキシブルパイプ５０から引き出されているマイクコード３０をコード挿通孔１３２内に挿通しながらフレキシブルパイプ５０の固定端を口金１３１内に嵌合固定する。
【００５１】
そして、コード挿通孔１３２から回路基板２２上に引き出されたマイクコード３０の端部を回路基板２２にはんだ付けしたのち、図３（ｂ）に示すように、回路基板２２をシールドケース２１内に収納し、接続用金具１３０をシールドケース２１の先端開口部２１ａ内に嵌合させた状態で、接続用金具１３０と出力コネクタ２３とをシールドケース２１に対してそれぞれネジ止めする。
【００５２】
このように、実施例３によっても出力モジュール部２０内でのマイクコード長ははんだ付けに必要とされる長さ分だけ確保すればよい。したがって、出力モジュール部２０内でアンテナとなる部分がなくなるため、電磁波による高周波電流が出力モジュール部２０内に流れ込まず雑音発生を防止できる。また、シールドケース２１を外した状態でもマイクロホンとしての動作が確認可能であるため組立・修理を容易に行うことができる。
【図面の簡単な説明】
【００５３】
【図１】（ａ）本発明の実施例１における出力モジュール部を示す分解図，（ｂ）は出力モジュール部の組立完了時の状態を示す断面図。
【図２】（ａ）本発明の実施例２における出力モジュール部を示す分解図，（ｂ）は出力モジュール部の組立完了時の状態を示す断面図。
【図３】（ａ）本発明の実施例３における出力モジュール部を示す分解図，（ｂ）は出力モジュール部の組立完了時の状態を示す断面図。
【図４】（ａ）従来例１における出力モジュール部を示す分解図，（ｂ）は出力モジュール部の組立完了時の状態を示す断面図。
【図５】（ａ）従来例２における出力モジュール部を示す分解図，（ｂ）は出力モジュール部の組立完了時の状態を示す断面図。
【図６】（ａ）従来例３における出力モジュール部を示す分解図，（ｂ）は出力モジュール部の組立完了時の状態を示す断面図。
【符号の説明】
【００５４】
１０  コンデンサマイクユニット
２０  出力モジュール部
２１  シールドケース
２１ａ  先端開口部
２２  回路基板
２３  出力コネクタ
３０  マイクコード
４０  コードコネクタ
５０  フレキシブルパイプ
１１０，１２０，１３０  接続金具
１１２  スリーブ
１２１  円筒部
１３１  口金
【図１】
2006019854.tif 000003
【図２】
2006019854.tif 000004
【図３】
2006019854.tif 000005
【図４】
2006019854.tif 000006
【図５】
2006019854.tif 000007
【図６】
2006019854.tif 000008